(57)【特許請求の範囲】
【請求項１】
施設内に設置されている各設備に対して予め設定した管理ポイントのうちから、対象となる管理ポイントを操作に応じて検索する管理ポイント検索方法であって、
前記各管理ポイントのポイント名称が登録されたポイント定義情報を記憶する記憶ステップと、
前記ポイント定義情報に含まれる各ポイント名称からキーワードを抽出し、得られたキーワードからなるキーワードリストを画面表示するキーワード抽出ステップと、
画面表示された前記キーワードリストのうちから任意のキーワードを選択する選択操作に応じて、選択された選択キーワードを含むポイント名称を前記ポイント定義情報から検索し、得られたポイント名称からなるポイントリストを検索結果として画面表示するポイント検索ステップとを備え、
前記キーワード抽出ステップは、前記ポイント定義情報に含まれる各ポイント名称と当該ポイント名称から抽出したキーワードとの組を対応リストとして記憶部に保存しておき、前記選択操作に応じて前記ポイント検索ステップにより画面表示された前記ポイントリストに含まれるポイント名称から、前記対応リストに基づいて前記ポイント名称と対応するキーワードを新たに選択して画面表示する
ことを特徴とする管理ポイント検索方法。
【請求項２】
請求項１に記載の管理ポイント検索方法において、
前記キーワード抽出ステップは、抽出した前記キーワードごとに、当該キーワードを含む前記ポイント名称の数からなるポイント数を計数し、これらキーワードとポイント数との組を、当該ポイント数の降順で並び替えて画面表示することを特徴とする管理ポイント検索方法。
【請求項３】
請求項１または請求項２に記載の管理ポイント検索方法において、
前記ポイント検索ステップは、前記選択操作で複数のキーワードが選択された場合、予め指定されている検索方法に基づき、これらキーワードのすべてを含むポイント名称、または、これらキーワードのいずれか１つを含むポイント名称を検索することを特徴とする管理ポイント検索方法。
【請求項４】
施設内に設置されている各設備に対して予め設定した管理ポイントのうちから、対象となる管理ポイントを操作に応じて検索する管理ポイント検索装置であって、
前記各管理ポイントのポイント名称が登録されたポイント定義情報を記憶する記憶部と、
前記ポイント定義情報に含まれる各ポイント名称からキーワードを抽出し、得られたキーワードからなるキーワードリストを画面表示するキーワード抽出部と、
画面表示された前記キーワードリストのうちから任意のキーワードを選択する選択操作に応じて、選択された選択キーワードを含むポイント名称を前記ポイント定義情報から検索し、得られたポイント名称からなるポイントリストを検索結果として画面表示するポイント検索部とを備え、
前記キーワード抽出部は、前記ポイント定義情報に含まれる各ポイント名称と当該ポイント名称から抽出したキーワードとの組を対応リストとして記憶部に保存しておき、前記選択操作に応じて前記ポイント検索部により画面表示された前記ポイントリストに含まれるポイント名称から、前記対応リストに基づいて前記ポイント名称と対応するキーワードを新たに選択して画面表示する
ことを特徴とする管理ポイント検索装置。
【発明の詳細な説明】
【技術分野】
【０００１】
本発明は、施設管理技術に関し、特に施設内の各設備に対して設定されている管理ポイントを操作に応じて検索するための管理ポイント検索技術に関する。
【背景技術】
【０００２】
一般に、建物や工場などの施設では、施設内に設置されている各設備を施設管理システムで監視・管理するため、監視対象となる管理ポイントを各設備に予め設定し、これら管理ポイントから取得したデータを、任意の設備の状況を監視画面に表示するものとなっている。これら管理ポイントには、ポイント名称、データ種別、データ単位、ポイントアドレスなどの各種属性情報がそれぞれ個別に定義されており、ポイント定義情報に登録されている。
【０００３】
このような管理ポイントは、施設の規模が大きい場合、数万点もの管理ポイントが定義されているため、オペレータが任意の機器の計測値を確認したい場合、定義されている数万点の管理ポイントのうちから、監視対象となる管理ポイントを検索する必要がある。
従来、このような管理ポイントを検索する技術として、予め定義されているポイント名称を指定することにより、監視対象となる管理ポイントをポイント定義情報から検索する技術が提案されている（例えば、特許文献１など参照）。
【先行技術文献】
【特許文献】
【０００４】
【特許文献１】特開２０１４−０４１４００号公報
【発明の概要】
【発明が解決しようとする課題】
【０００５】
このような管理ポイントに対するポイント名称の命名については、設置場所、設備、機器、データなどから連想される名称を用いるというような慣習的な規則はあるものの、標準化された規則が使用されることは少なく、施設ごとに自由に決定される場合がほとんどである。このため、従来技術によれば、命名に関する規則が明確でない場合、所望の管理ポイントが特定されるまで、ポイント名称を繰り返し操作入力して検索することになり、極めて効率が悪いという問題点があった。
【０００６】
本発明はこのような課題を解決するためのものであり、命名に関する規則が明確でない場合でも、ポイント名称に基づき効率よく管理ポイントを検索できる管理ポイント検索技術を提供することを目的としている。
【課題を解決するための手段】
【０００７】
このような目的を達成するために、本発明にかかる管理ポイント検索方法は、施設内に設置されている各設備に対して予め設定した管理ポイントのうちから、対象となる管理ポイントを操作に応じて検索する管理ポイント検索方法であって、前記各管理ポイントのポイント名称が登録されたポイント定義情報を記憶する記憶ステップと、前記ポイント定義情報に含まれる各ポイント名称からキーワードを抽出し、得られたキーワードからなるキーワードリストを画面表示するキーワード抽出ステップと、画面表示された前記キーワードリストのうちから任意のキーワードを選択する選択操作に応じて、選択された選択キーワードを含むポイント名称を前記ポイント定義情報から検索し、得られたポイント名称からなるポイントリストを検索結果として画面表示するポイント検索ステップとを備え、前記キーワード抽出ステップは、前記ポイント定義情報に含まれる各ポイント名称と当該ポイント名称から抽出したキーワードとの組を対応リストとして記憶部に保存しておき、前記選択操作に応じて前記ポイント検索ステップにより画面表示された前記ポイントリストに含まれるポイント名称から、前記対応リストに基づいて前記ポイント名称と対応するキーワードを新たに選択して画面表示するようにしたものである。
【００１０】
本発明にかかる上記管理ポイント検索方法の一構成例は、前記キーワード抽出ステップが、抽出した前記キーワードごとに、当該キーワードを含む前記ポイント名称の数からなるポイント数を計数し、これらキーワードとポイント数との組を、当該ポイント数の降順で並び替えて画面表示することを特徴とする管理ポイント検索方法。
【００１１】
本発明にかかる上記管理ポイント検索方法の一構成例は、前記ポイント検索ステップが、前記選択操作で複数のキーワードが選択された場合、予め指定されている検索方法に基づき、これらキーワードのすべてを含むポイント名称、または、これらキーワードのいずれか１つを含むポイント名称を検索することを特徴とする管理ポイント検索方法。
【００１２】
本発明にかかる管理ポイント検索装置は、施設内に設置されている各設備に対して予め設定した管理ポイントのうちから、対象となる管理ポイントを操作に応じて検索する管理ポイント検索装置であって、前記各管理ポイントのポイント名称が登録されたポイント定義情報を記憶する記憶部と、前記ポイント定義情報に含まれる各ポイント名称からキーワードを抽出し、得られたキーワードからなるキーワードリストを画面表示するキーワード抽出部と、画面表示された前記キーワードリストのうちから任意のキーワードを選択する選択操作に応じて、選択された選択キーワードを含むポイント名称を前記ポイント定義情報から検索し、得られたポイント名称からなるポイントリストを検索結果として画面表示するポイント検索部とを備え、前記キーワード抽出部は、前記ポイント定義情報に含まれる各ポイント名称と当該ポイント名称から抽出したキーワードとの組を対応リストとして記憶部に保存しておき、前記選択操作に応じて前記ポイント検索部により画面表示された前記ポイントリストに含まれるポイント名称から、前記対応リストに基づいて前記ポイント名称と対応するキーワードを新たに選択して画面表示するようにしたものである。
【発明の効果】
【００１３】
本発明によれば、管理ポイントを検索する際、キーワードを文字入力することなく、画面表示されたキーワードリストから任意のキーワードを順に選択操作するたけで、数多く定義されている管理ポイントのうちから所望の管理ポイントを絞り込むことができる。したがって、命名に関する規則が明確でない場合でも、ポイント名称に基づき効率よく管理ポイントを検索することが可能となる。
【図面の簡単な説明】
【００１４】
【図１】管理ポイント検索装置の構成を示すブロック図である。
【図２】ポイント定義情報の構成例である。
【図３】キーワードリストの構成例である。
【図４】ポイントリストの構成例である。
【図５】管理ポイント検索処理を示すフローチャートである。
【図６】管理ポイント検索画面（初期画面）の表示例である。
【図７】管理ポイント検索画面（建物Ａ）の表示例である。
【図８】管理ポイント検索画面（建物Ａ＋計測風量）の表示例である。
【図９】管理ポイント検索画面（建物Ａ＋計測風量＋ＶＡＶ−５−２−１）の表示例である。
【発明を実施するための形態】
【００１５】
次に、本発明の一実施の形態について図面を参照して説明する。
［管理ポイント検索装置］
まず、図１を参照して、本実施の形態にかかる管理ポイント検索装置１０について説明する。図１は、管理ポイント検索装置の構成を示すブロック図である。
【００１６】
この管理ポイント検索装置１０は、建物や工場などの施設を管理する施設管理システムで用いられるサーバ装置やパーソナルコンピュータなどの情報処理装置からなり、施設内に設置されている各設備の機器に対して予め設定されている管理ポイントを検索する機能を有している。
【００１７】
施設管理システムで用いられる管理ポイントの名称は、設置場所、設備、機器、データ名などから連想される意味を持つ文字列が、例えば空白やドットなどの区切り文字により連結された構成をとる場合が多い。例えば、「建物Ａ」に設置されている空調機器「ＶＡＶ−５−２−１」における吹き出し風量に関する計測データを取得するためのポイント名称は、「建物Ａ  ＶＡＶ−５−２−１  計測風量」となる。
本発明は、このようなポイント名称の慣習的な規則に着目し、各ポイント名称を意味を持つ文字列で分割することによりキーワードを抽出し、キーワードの操作入力に代えて当該キーワードを選択リストとして画面表示するようにしたものである。
【００１８】
次に、図１を参照して、本実施の形態にかかる管理ポイント検索装置１０の構成について詳細に説明する。
この管理ポイント検索装置１０には、主な機能部として、通信Ｉ／Ｆ部１１、操作入力部１２、画面表示部１３、記憶部１４、および演算処理部１５が設けられている。
【００１９】
通信Ｉ／Ｆ部１１は、通信回線を介して施設管理システムで用いられる各種装置とデータ通信を行うことにより、後述するポイント定義情報１４Ａや管理ポイント検索結果、プログラムなどの各種データをやり取りする機能を有している。
【００２０】
操作入力部１２は、キーボード、マウス、タッチパネルなどの操作入力装置からなり、オペレータの操作を検出して演算処理部１５へ出力する機能を有している。
画面表示部１３は、ＬＣＤなどの画面表示装置からなり、演算処理部１５から出力された操作メニュー、管理ポイント検索画面などの各種データを画面表示する機能を有している。
【００２１】
記憶部１４は、ハードディスクや半導体メモリなどの記憶装置からなり、演算処理部１５における管理ポイント検索処理で用いる各種処理情報やプログラムを記憶する機能を有している。
記憶部１４で記憶される主な処理情報としては、ポイント定義情報１４Ａ、キーワードリスト１４Ｂ、ポイントリスト１４Ｃがある。
【００２２】
ポイント定義情報１４Ａは、管理ポイントごとに、当該管理ポイントに関する属性情報が登録されている定義情報であり、施設管理システムの管理装置から通信Ｉ／Ｆ部１１を介して取得され、記憶部１４に予め格納される。
図２は、ポイント定義情報の構成例である。ここでは、管理ポイントを識別するためのポイントＩＤごとに、当該管理ポイントの名称であるポイント名称、施設管理システムでの制御に用いるアドレス、当該管理ポイントから取得するデータのデータ種別、当該管理ポイントから取得するデータのデータ単位などの各種属性情報が登録されている。
【００２３】
キーワードリスト１４Ｂは、ポイント定義情報１４Ａやポイントリスト１４Ｃに含まれる各ポイント名称から抽出されたキーワードの集合であり、演算処理部１５により抽出されて記憶部１４に格納される。
図３は、キーワードリストの構成例である。ここでは、キーワードと当該キーワードを含むポイント名称の数からなるポイント数との組がリストとして登録されている。
【００２４】
ポイントリスト１４Ｃは、画面表示されたキーワードリスト１４Ｂのうちから選択操作に応じて選択された選択キーワードを含むポイント名称の集合であり、演算処理部１５により検索されて記憶部１４に格納される。
図４は、ポイントリストの構成例である。ここでは、ポイント名称がリストとして登録されている。
【００２５】
演算処理部１５は、ＣＰＵとその周辺回路を有し、記憶部１４からプログラムを読み出して実行することにより、管理ポイント検索処理に用いる各種処理部を実現する機能を有している。
演算処理部１５で実現される主な処理部として、キーワード抽出部１５Ａと、ポイント検索部１５Ｂがある。
【００２６】
キーワード抽出部１５Ａは、ポイント定義情報１４Ａに含まれる各ポイント名称からキーワードを抽出する機能と、ポイント検索部１５Ｂで得られたポイントリスト１４Ｃに含まれる各ポイント名称からキーワードを抽出する機能と、得られたキーワードからなるキーワードリスト１４Ｂを画面表示部１３で画面表示する機能とを有している。
【００２７】
また、キーワード抽出部１５Ａの機能として、ポイント定義情報１４Ａに含まれる各ポイント名称と当該ポイント名称から抽出したキーワードとの組を対応リストとして記憶部１４に保存しておき、ポイントリスト１４Ｃに含まれるポイント名称からキーワードを抽出する際、当該対応リストから当該ポイント名称と対応するキーワードを選択する機能や、抽出したキーワードごとに、当該キーワードを含むポイント名称の数からなるポイント数を計数し、これらキーワードとポイント数との組を、当該ポイント数の降順で並び替えて画面表示部１３で画面表示する機能を設けてもよい。
【００２８】
ポイント名称に含まれるキーワードを抽出する方法としては、前述したポイント名称の慣習的な規則を利用する方法がある。例えば、管理ポイントの名称は、設置場所、設備、機器、データ名などから連想される意味を持つ文字列が、空白やドットなどの区切り文字により連結された構成をとる場合が多い。したがって、これら区切り文字でポイント名称を分割すれば、意味を持つ文字列からなるキーワードを効率よく抽出できる。
【００２９】
また、ポイント名称に含まれるキーワードを抽出する他の方法としては、アルファベット、数字、記号などの文字が連続する文字列を検索し、あるいはこれら文字列でポイント名称を分割する方法、漢字とアルファベットとの境界でポイント名称を分割する方法、予め登録した設置場所、設備、機器、データ名などの用語を検索し、あるいはこれら用語でポイント名称を分割する方法がある。
【００３０】
ポイント検索部１５Ｂは、画面表示部１３で画面表示されたキーワードリスト１４Ｂのうちから任意のキーワードを選択する操作入力部１２での選択操作に応じて、選択された選択キーワードを含むポイント名称をポイント定義情報１４Ａから検索する機能と、得られたポイント名称からなるポイントリスト１４Ｃを検索結果として画面表示部１３で画面表示する機能と、選択操作で複数のキーワードが選択された場合、予め指定されている検索方法に基づき、これらキーワードのすべてを含むポイント名称（ＡＮＤ検索）、または、これらキーワードのいずれか１つを含むポイント名称（ＯＲ検索）を検索する機能とを有している。
【００３１】
［本実施の形態の動作］
次に、図５を参照して、本実施の形態にかかる管理ポイント検索装置１０の動作について説明する。図５は、管理ポイント検索処理を示すフローチャートである。
演算処理部１５は、操作入力部１２で検出された検索要求操作に応じて、図５の管理ポイント検索処理を実行する。なお、管理ポイント検索処理にあたって、記憶部１４にはポイント定義情報１４Ａが予め格納されているものとする。また、検索方法として、選択された複数のキーワードのすべてを含む管理ポイントを検索するＡＮＤ検索が予め指定されているものとする。
【００３２】
まず、キーワード抽出部１５Ａは、記憶部１４からポイント定義情報１４Ａを読み出し、ポイント定義情報１４Ａに含まれる各ポイント名称からキーワードを抽出し（ステップ１００）、得られたキーワードからなるキーワードリスト１４Ｂを画面表示部１３で画面表示する（ステップ１０１）。この際、キーワードごとにポイント数を計数し、これらキーワードとポイント数との組を、当該ポイント数の降順で並び替えて画面表示する。
【００３３】
図６は、管理ポイント検索画面（初期画面）の表示例である。ここでは、ポイント定義情報１４Ａに含まれる各ポイント名称から抽出したキーワードとそのポイント数との組からなるキーワードリスト１４Ｂが、初期のキーワード選択リストとして表示エリア５１に表示されている。
【００３４】
次に、演算処理部１５は、操作入力部１２で検索終了操作が検出されたか否か確認し（ステップ１０２）、検索終了が検出された場合（ステップ１０２：ＹＥＳ）、一連の管理ポイント検索処理を終了する。
一方、検索終了が検出されなかった場合（ステップ１０２：ＮＯ）、演算処理部１５は、画面表示部１３で画面表示されたキーワードリスト１４Ｂのうちから任意のキーワードを選択するキーワード選択操作が操作入力部１２で検出されたか否か確認し（ステップ１０３）、キーワード選択操作が検出されなかった場合（ステップ１０３：ＮＯ）、ステップ１０２へ戻る。
【００３５】
また、キーワード選択操作が検出された場合（ステップ１０３：ＹＥＳ）、ポイント検索部１５Ｂは、当該キーワード選択操作により選択された選択キーワードを含むポイント名称をポイント定義情報１４Ａから検索し（ステップ１０４）、得られたポイント名称からなるポイントリスト１４Ｃを検索結果として画面表示部１３で画面表示する（ステップ１０５）。
【００３６】
この後、キーワード抽出部１５Ａは、ポイント検索部１５Ｂで得られたポイントリスト１４Ｃに含まれるキーワードを抽出し（ステップ１０６）、ステップ１０１へ戻って、新たに得られたキーワードからなるキーワードリスト１４Ｂを画面表示部１３で画面表示する。
【００３７】
図７は、管理ポイント検索画面（建物Ａ）の表示例である。ここでは、キーワード選択操作により選択された選択キーワード「建物Ａ」を含むポイント名称からなるポイントリスト１４Ｃが、検索結果として表示エリア５４に表示されている。また、ポイントリスト１４Ｃから抽出されたキーワードからなるキーワードリスト１４Ｂが、新たなキーワード選択リストとして表示エリア５２に表示されている。
【００３８】
したがって、表示エリア５２に表示されたキーワードリスト１４Ｂから、新たな選択キーワード「計測風量」が選択操作された場合、これら２つの選択キーワード「建物Ａ」と「計測風量」のすべてを含むポイント名称が検索される。図８は、管理ポイント検索画面（建物Ａ＋計測風量）の表示例である。ここでは、「建物Ａ」と「計測風量」のすべてを含むポイント名称からなるポイントリスト１４Ｃが、検索結果として表示エリア５４に表示されている。また、ポイントリスト１４Ｃから抽出されたキーワードからなるキーワードリスト１４Ｂが、新たなキーワード選択リストとして表示エリア５３に表示されている。
【００３９】
この後、表示エリア５３に表示されたキーワードリスト１４Ｂから、新たな選択キーワード「ＶＡＶ−５−２−１」が選択操作された場合、これら３の選択キーワード「建物Ａ」、「計測風量」、「ＶＡＶ−５−２−１」のすべてを含むポイント名称が検索される。図９は、管理ポイント検索画面（建物Ａ＋計測風量＋ＶＡＶ−５−２−１）の表示例である。ここでは、「建物Ａ」、「計測風量」、「ＶＡＶ−５−２−１」のすべてを含むポイント名称からなるポイントリスト１４Ｃが、検索結果として表示エリア５４に表示されている。これにより、各選択キーワードを含む管理ポイントが１つに絞られたことになる。
【００４０】
［本実施の形態の効果］
このように、本実施の形態は、キーワード抽出部１５Ａが、ポイント定義情報１４Ａに含まれる各ポイント名称からキーワードを抽出し、得られたキーワードからなるキーワードリスト１４Ｂを画面表示し、ポイント検索部１５Ｂが、画面表示されたキーワードリスト１４Ｂのうちから任意のキーワードを選択する選択操作に応じて、選択された選択キーワードを含むポイント名称をポイント定義情報１４Ａから検索し、得られたポイント名称からなるポイントリスト１４Ｃを検索結果として画面表示するようにしたものである。
【００４１】
これにより、オペレータは、管理ポイントを検索する際、キーワードを文字入力することなく、画面表示されたキーワードリスト１４Ｂから任意のキーワードを順に選択操作するたけで、数多く定義されている管理ポイントのうちから所望の管理ポイントを絞り込むことができる。
したがって、命名に関する規則が明確でない場合でも、ポイント名称に基づき効率よく管理ポイントを検索することが可能となる。
【００４２】
また、本実施の形態において、キーワード抽出部１５Ａが、ポイント検索部１５Ｂで得られたポイントリスト１４Ｃに含まれるキーワードを抽出し、得られたキーワードからなるキーワードリスト１４Ｂを画面表示するようにしてもよい。これにより、複数のキーワードを選択することにより、管理ポイントを絞り込むことができ、極めて効率よく管理ポイントを検索することが可能となる。
【００４３】
また、本実施の形態において、キーワード抽出部１５Ａが、ポイント定義情報１４Ａに含まれる各ポイント名称と当該ポイント名称から抽出したキーワードとの組を対応リストとして記憶部１４に保存しておき、ポイントリスト１４Ｃに含まれるポイント名称からキーワードを抽出する際、当該対応リストから当該ポイント名称と対応するキーワードを選択するようにしてもよい。これにより、ポイント名称からキーワードを抽出する場合、毎回、ポイント名称を文字列に分割するなどの処理を行う必要がなくなり、２回目以降のキーワード抽出処理を高速化することができる。
【００４４】
また、本実施の形態において、キーワード抽出部１５Ａが、抽出したキーワードごとに、当該キーワードを含むポイント名称の数からなるポイント数を計数し、これらキーワードとポイント数との組を、当該ポイント数の降順で並び替えて画面表示するようにしてもよい。このポイント数は、重要な指標であり、この値が大きいほど、そのキーワードは大きなクラスを意味するキーワードと見なすことができる。したがって、キーワードごとにポイント数を表示する、さらにはこのポイント数の降順で並び替えて表示することにより、規模の大きなクラスから小さなクラスへ階層的に絞り込んで検索できるため、利便性を向上させることが可能となる。
【００４５】
また、本実施の形態において、ポイント検索部１５Ｂが、選択操作で複数のキーワードが選択された場合、予め指定されている検索方法に基づき、これらキーワードのすべてを含むポイント名称、または、これらキーワードのいずれか１つを含むポイント名称を検索するようにしてもよい。これにより、複数のキーワードを用いて柔軟に管理ポイントを検索することが可能となる。
【００４６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４７】
１０…管理ポイント検索装置、１１…通信Ｉ／Ｆ部、１２…操作入力部、１３…画面表示部、１４…記憶部、１４Ａ…ポイント定義情報、１４Ｂ…キーワードリスト、１４Ｃ…ポイントリスト、１５…演算処理部、１５Ａ…キーワード抽出部、１５Ｂ…ポイント検索部。
【図１】
0006357028.tif 000002
【図２】
0006357028.tif 000003
【図３】
0006357028.tif 000004
【図４】
0006357028.tif 000005
【図５】
0006357028.tif 000006
【図６】
0006357028.tif 000007
【図７】
0006357028.tif 000008
【図８】
0006357028.tif 000009
【図９】
0006357028.tif 000010